(57)【特許請求の範囲】
【請求項１】
楯本体の裏面部に、少なくとも２本の中空部を有する支持部材の一端をそれぞれ連結し、他方の端部を把持部材で連結して取手とし、支持部材と楯本体の連結部に小孔を設けて、この小孔にスプレーノズルが臨むように当該支持部材の中空部に催涙ガススプレー缶を内蔵し、この催涙ガススプレー缶の後端部を押すと上記小孔から楯本体の表側前方に向けて催涙ガスが噴射されるようにしたことを特徴とする防護楯。
【請求項２】
楯本体の裏面部に、中空部を有する支持部材の一端を連結し、支持部材と楯本体の連結部に小孔を設けて、この小孔にスプレーノズルが臨むように当該支持部材の中空部に催涙ガススプレー缶を内蔵し、この催涙ガススプレー缶の後端部を押すと上記小孔から楯本体の表側前方に向けて催涙ガスが噴射されるようにしたことを特徴とする防護楯。
【発明の詳細な説明】
【０００１】
【発明の属する技術分野】
本発明は、非常時に身を防護するために使用する楯に関し、特に通常時は楯以外の他の用途に使用出来、非常時に楯として使用出来るとともに、催涙ガス等の威嚇ガスをスプレー出来る、あるいは、いわゆるスタンガンのように高圧放電威嚇出来る楯に係る。
【０００２】
【従来の技術】
従来から、自衛官や警察官等が身を護るために使用する楯は広く知られている。
また、湾曲する四角板状の楯本体をポリカーボネート等の高強度、防弾透明樹脂板としたものも知られている。
最近では、市民生活におけるトラブル時に、人を防護するための小型の楯も提案されている。
例えば、小学校等の校舎等に無断侵入して来た暴漢者から児童を護るのに、あるいは、銀行やコンビニエンスストアに現れた暴漢者から身を護るために、片手保持や両手保持タイプの楯が提案されている。
しかし、このような小型の楯の場合に、暴漢者の方の腕力が勝ると暴漢者に奪い取られてしまう恐れが高い。
また、通常時に楯を持ち歩くことは難しく、所定の場所に保管して置くと、いざという時に間に合わない問題もあった。
【０００３】
【発明が解決しようとする課題】
本発明は、通常時にはカタログ類や冊子類等を立てる台、あるいは鏡等の楯以外の用途として身近に使用出来、非常時に身を護る楯として使用出来る。
さらには、楯に内蔵した催涙ガススプレー缶を作動させたり、高圧放電威嚇出来る楯の提供を目的とする。
【０００４】
【課題を解決するための手段】
上記目的を達成するために請求項１記載の発明は、楯本体の裏面部に、少なくとも２本の中空部を有する支持部材の一端をそれぞれ連結し、他方の端部を把持部材で連結して取手とし、支持部材と楯本体の連結部に小孔を設けて、この小孔にスプレーノズルが臨むように当該支持部材の中空部に催涙ガススプレー缶を内蔵し、この催涙ガススプレー缶の後端部を押すと上記小孔から楯本体の表側前方に向けて催涙ガスが噴射されるようにした。
【０００５】
ここで、中空部を有する支持部材とは、例えば円筒状の支持部材をいい、把持部材とは、楯本体の裏面部の少なくとも２箇所に円筒状の支持部材の一端をそれぞれ連結し、他方の端部付近を把持部材にて連結して取手とした構造をいう。
また、支持部材の中空部に催涙ガススプレー缶を内蔵するとは、この円筒状の支持部材の一端を楯本体の裏面部に連結した中央部に小さい孔をあけ、この小さい孔にスプレー缶のスプレーノズルが臨むように円筒状の支持部材の後部からスプレー缶を挿入した構造等をいう。
従って、スプレー缶が装着出来れば、支持部材は必ずしも円筒状に限定されるものでない。
【０００６】
請求項２記載の発明は、従来の取手付き楯に催涙ガススプレー缶を装着するための支持部材を取り付けたもので、楯本体の裏面部に、中空部を有する支持部材の一端を連結し、支持部材と楯本体の連結部に小孔を設けて、この小孔にスプレーノズルが臨むように当該支持部材の中空部に催涙ガススプレー缶を内蔵し、この催涙ガススプレー缶の後端部を押すと上記小孔から楯本体の表側前方に向けて催涙ガスが噴射されるようにした。
【０００７】
本発明は、楯本体の裏面部に取り付けた支持部材を支柱として楯本体を立てかけ、楯本体の表面をカタログや冊子類を立てかける台板として使用し、又は楯本体の表面に反射フイルム等を貼り付け、鏡や装飾部品として使用出来るようにし、非常時に楯として使用出来るようにしたものである。
【０００９】
【発明の実施の形態】
図１に本発明に係る楯の例の斜視図を示す。
楯本体１の裏面部には、円筒状の支持部材２が２本取り付けられ、その後端部付近を把持部材３にて連結して取手になっている。
支持部材２の中空部後端開口部から催涙ガススプレー缶４が挿入され、この催涙ガススプレー缶の先端部のノズルが楯本体にあけた小孔５に臨むように配設されている。
従って、催涙ガススプレー缶の後端部を押すと楯本体の表面の小孔５からガスが噴射される。
その構造の詳細については、後述する。
【００１０】
楯本体１は、チタン板でも透明なポリカーボネート等の樹脂板でもよい。
通常は、図１に示すように支持部材２を支柱にして楯本体１を立てかけ、下に必要に応じて補助枠１０を敷いてこの溝にカタログや小冊子等の下端を入れて楯本体を台板にして立てかける。
このようにして使用すれば、教室やコンビニエンスストア内の身近な所に置いておくことが出来る。
従って、必要に応じて楯本体の表面を鏡や装飾板として使用することも可能である。
また図１に示した例は、上下の支持部材２の両方にスプレー缶を装着した例であるが、片側のみに装着してもよい。
【００１１】
図２に催涙ガススプレー内蔵構造の例を示す。
中空形状（円筒状）の支持部材２の一端２１が、楯本体１の裏面部に連結されている。
この連結部の中央部に小孔５が設けられている。
中空形状の支持部材２の後部開口部２２からスプレー缶４を挿入し、前部のスプレーノズル４１がノズル部スプリング８を介して楯本体裏面部から表面に向けてあけた小孔５に臨むように配設されている。
通常は、スプレー缶４の前部くびれ部４２に係合するように安全ピン６が支持部材２の側部から貫通挿入されている。
また、安全ピン６は、鎖７等にて一端を連結し、他端を楯本体を立てておくテーブル、机、商品架台等に取り付けておくのがよい。
このように、通常は安全ピン６が挿入されているので、スプレー缶の後部４３を押圧しても催涙ガスは噴射されないが、非常時には取手を把持して楯本体を持ち上げると、鎖７の一端がテーブル等に取り付けられているので必然的に安全ピンが引き抜かれ、ノズル部スプリング４１に抗してスプレー缶の後部を押圧すると催涙ガスを噴射させることが出来る。
【００１２】
図３には、催涙ガススプレー缶内蔵支持部材を取手付き楯に、後から取り付けるのに適した支持部材２の構造例を示す。
円筒状支持部材２の一端に円柱状の連結ピース９を挿入し、円筒の外側からピン９１等で固定し、この中央部に雌ねじ９２が切られている。
一方、楯本体の表面からビス等の係止部材５１を挿入し、上記連結ピース９の雌ねじ部９２に螺合させて支持部材２と楯本体の裏面部を連結する。
ここで、係止部材５１の中央部に小孔５があけられていて、スプレー缶のノズルの先端が臨むように配置されている。
【００１３】
図４には、スプレー缶の押圧構造の他の例を示す。
図２に示したように、直接スプレー缶の後部を押圧してもよいが、図４に示すようにレバーの「てこ」力を利用した構造でもよい。
支持部材２の後部開口部からスプレー缶を装着する場合には、押さえアーム２３が枢着２４ａされていて、上部又は下部方向に回すことによりスプレー缶の装着が可能になっている。
押さえアーム２３は、レバー２４の一端にて枢着連結されていて、レバー２４は、支点アーム２５の支点部２５ａで回動可能になっている。
レバー２４の操作側は、レバー部スプリング２６が取り付けられていてスプレー缶の作動操作は、このレバー２４を介して行うことができる。
【００１４】
図５には、楯の裏面部に取手３がすでに取り付けられている場合に、その取手の近傍に支持部材２を取り付け、スプレー缶４を装着出来るようにした例を示す。
【００１５】
図６には、把持部材（取手）３が２つ取り付けられた楯の例を示す。
この場合には、両手保持タイプの楯となり、通常は図６に示したように両方の支持部材２２を支柱にして立てることになる。
また、催涙ガススプレー缶は、それぞれの支持部材全部に装着しても、一部のみに装着してもよいのは言うまでも無い。
図６に示した両手保持タイプの楯の正面図を図７（イ）に、底面図を図７（ロ）に、右側面図を図８（ハ）に、背面図を図９（ニ）に示す。
【００１６】
図１０には、片手保持タイプで楯本体が少し湾曲している場合の楯の例の斜視図を示す。
その正面図を図１１（イ）に、右側面図を図１２（ロ）に、底面図を図１３（ハ）に、背面図を図１４（ニ）にそれぞれ示す。
【００１７】
図１５には、楯本体１の表面縁部に放電電極１１、その裏面部に対極の放電電極１２を配設し、それぞれエナメル線等の配線１１ａ、１２ａにて、支持部材２又は把持部材３に内蔵した電池及び高電圧発生装置に接続されている。
図示を省略したが、把持部材（取手）等に設けたスイッチ操作にて、この表面の一対の電極間に放電させて暴漢者にスタンガン威嚇する。
図１６には、楯本体の表面中央部に高圧放電電極１１、１２を一対設けて、この間に放電電流を流して威嚇することができる楯の例を示す。
【００１８】
なお、本実施の形態においては、支持部材２の中空部にスプレー缶を内蔵した場合を中心に説明したが、この中空部に小型のデジタルカメラ等を内蔵して暴漢者から身を防護する際に相手を撮影することもできる。
【００１９】
【発明の効果】
本発明においては、楯本体の裏面部に取り付けた支持部材に催涙ガススプレー缶を内蔵したので、楯として暴漢者に対抗しつつ、非常時には催涙ガスを楯の裏面側から表面側前方に向けて噴射することができ、暴漢者への威嚇効果が大きい。
なお、催涙ガススプレーは、威嚇効果を目的とするものであり、催涙ガスに限定されるものでない。
従って、暴漢者を威嚇する「とうがらしスプレー」、暴漢者が逃走した場合にマーキングとしての効果を有する「カラースプレー」、暴漢者を威嚇するとともに周囲に危険を知らせる「防犯音発生スプレー」等も、本発明における催涙ガススプレー缶に含まれる。
また、通常は支持部材を支柱にして楯本体を立てて、カタログ類立て等の他の使用に供することが出来るので、日常生活において身近に置いておくことができる。
そして、暴漢者が現れたりした非常時には、威嚇スプレーあるいは、威嚇スタンガン放電ができて、比較的腕力の弱い女性や年輩者等でも使用できる。
【図面の簡単な説明】
【図１】本発明に係る楯の外観図を示す。
【図２】スプレー缶装着部の構造例を示す。
【図３】スプレー缶装着部の他の構造例を示す。
【図４】スプレー缶押圧構造の例を示す。
【図５】本発明に係る楯の他の例を示す。
【図６】両手保持タイプの楯の例を示す。
【図７】両手保持タイプの楯の正面図（イ）、底面図（ロ）を示す。
【図８】両手保持タイプの楯の右側面図（ハ）を示す。
【図９】両手保持タイプの楯の背面図（ニ）を示す。
【図１０】片手保持タイプの外観図を示す。
【図１１】片手保持タイプの正面図（イ）を示す。
【図１２】片手保持タイプの右側面図（ロ）を示す。
【図１３】片手保持タイプの底面図（ハ）を示す。
【図１４】片手保持タイプの背面図（ニ）を示す。
【図１５】楯本体にスタンガン用電極を設けた例を示す。
【図１６】楯本体の中央部にスタンガン用電極を設けた例を示す。
【符号の説明】
１      楯本体
２      支持部材
２１    支持部材連結部
２２    支持部材開口部
３      把持部材（取手）
４      スプレー缶
４１    スプレー缶ノズル
４２    スプレー缶くびれ部
４３    スプレー缶後部
５      ガス噴射小孔
５１    ガス噴射孔のあいた係止部材
６      安全ピン
７      鎖
８      ノズル部スプリング
９      連結ピース
９１    連結ピース固定用のピン
９２    連結ピースの雌ねじ部
１０    補助枠
１１、１２  高圧放電用電極
１１ａ、１２ａ  電極への配線
【図１】
0003606572.tif 000002
【図２】
0003606572.tif 000003
【図３】
0003606572.tif 000004
【図４】
0003606572.tif 000005
【図５】
0003606572.tif 000006
【図６】
0003606572.tif 000007
【図７】
0003606572.tif 000008
【図８】
0003606572.tif 000009
【図９】
0003606572.tif 000010
【図１０】
0003606572.tif 000011
【図１１】
0003606572.tif 000012
【図１２】
0003606572.tif 000013
【図１３】
0003606572.tif 000014
【図１４】
0003606572.tif 000015
【図１５】
0003606572.tif 000016
【図１６】
0003606572.tif 000017